(57)【特許請求の範囲】
【請求項１】
構造物の開口部に設けられる枠体と、該枠体の内部に戸車を介してスライド可能に設けられるサッシ障子と、を備え、
該サッシ障子の下框には、前記戸車を収容可能な戸車収容部が形成されていて、
前記サッシ障子の召合せ框および縦框の少なくとも一方には、前記戸車収容部と連通する中空部と、該中空部と外部とを連通させる戸車調整孔と、が形成されていて、
前記中空部には、前記戸車収容部と前記戸車調整孔との間に前記戸車収容部および前記戸車調整孔とそれぞれ離間する壁部が設けられていて、
加熱されると前記戸車調整孔を閉塞するとともに前記戸車収容部と前記中空部との連通状態を維持するように発泡可能な第１加熱発泡材が前記壁部と前記戸車調整孔との間に設けられていることを特徴とする引違サッシ。
【発明の詳細な説明】
【技術分野】
【０００１】
本発明は、構造物の開口部に設けられる引違サッシに関する。
【背景技術】
【０００２】
従来、樹脂製の部品が配置された障子のコーナー部に加熱発泡材が設けられている引違サッシが開示されている（例えば、特許文献１参照）。このような引違サッシは、火災が発生した際に、障子のコーナー部に生じる隙間を発泡した加熱発泡材が塞ぐように構成されている。
また、特許文献１には、火災が発生した際に、発泡した加熱発泡材が召合せ框に形成された戸車調整孔を塞ぎ、戸車の樹脂部分が溶融して生じた可燃性ガスを封止する技術が開示されている。
【先行技術文献】
【特許文献】
【０００３】
【特許文献１】特開２０１３−１１３０６５号公報
【発明の概要】
【発明が解決しようとする課題】
【０００４】
ところで、ガラスの厚い引違サッシや大型の引違サッシでは、使用される戸車は、大型となり、使用される樹脂量が多くなる。そして、このような引違サッシでは、火災が発生した際に戸車の樹脂部分が溶融して発生する可燃性ガスの量が多くなるため、この可燃性ガスを確実に封止する必要がある。
また、このような引違サッシは、封止された可燃性ガスが、火災の熱によって高温となり、高圧状態となって外部へ噴出すると、火災が拡大してしまうため、可燃性ガスの噴出を防止する必要がある。つまり、可燃性ガスが高圧状態となることを防止する必要ある。
【０００５】
そこで、本発明は、火災の熱によって戸車の樹脂部分が溶融して発生した可燃性ガスを確実に封止し、封止された可燃性ガスが高圧状態となることを防止できる引違サッシを提供することを目的とする。
【課題を解決するための手段】
【０００６】
上記目的を達成するため、本発明に係る引違サッシは、構造物の開口部に設けられる枠体と、該枠体の内部に戸車を介してスライド可能に設けられるサッシ障子と、を備え、該サッシ障子の下框には、前記戸車を収容可能な戸車収容部が形成されていて、前記サッシ障子の召合せ框および縦框の少なくとも一方には、前記戸車収容部と連通する中空部と、該中空部と外部とを連通させる戸車調整孔と、が形成されていて、前記中空部には、前記戸車収容部と前記戸車調整孔との間に前記戸車収容部および前記戸車調整孔とそれぞれ離間する壁部が設けられていて、加熱されると前記戸車調整孔を閉塞するとともに前記戸車収容部と前記中空部との連通状態を維持するように発泡可能な第１加熱発泡材が前記壁部と前記戸車調整孔との間に設けられている。
【０００７】
本発明では、火災の熱によって第１加熱発泡材が発泡すると、戸車調整孔が閉塞され、下框の戸車収容部と召合せ框および縦框の少なくとも一方の中空部とが連通した状態に維持されるため、火災の熱によって戸車の樹脂部分が溶融して発生した可燃性ガスを、戸車調整孔から外部へ漏らすことなく、戸車収容部と中空部の空間の両方に封止することができる。
そして、戸車の樹脂部分が溶融して発生した可燃性ガスを戸車収容部のみに封止する場合と比べて、中空部を可燃性ガスを封止する空間として利用することができるため、多量の可燃性ガスが発生した場合にも確実に封止でき、封止された可燃性ガスが高圧状態となることを防止できる。
【０００８】
また、本発明に係る引違サッシでは、前記中空部には、前記戸車収容部と前記戸車調整孔との間に前記戸車収容部および前記戸車調整孔とそれぞれ離間する壁部が設けられていて、前記第１加熱発泡材は、前記壁部と前記戸車調整孔との間に設けられている。
このような構成とすることにより、第１加熱発泡材が発泡しても、壁部によって第１加熱発泡材が戸車収容部と中空部との連通箇所を閉塞することを確実に防止できる。その結果、下框の戸車収容部と召合せ框および縦框の少なくとも一方の中空部とが連通した状態を確実に維持することができる。
【発明の効果】
【００１０】
本発明によれば、戸車の樹脂部分が溶融して発生した可燃性ガスを確実に封止し、封止された可燃性ガスが高圧状態となることを防止できる。
【図面の簡単な説明】
【００１１】
【図１】本発明の実施形態による引違サッシの一例を示す平面図である。
【図２】図１に示す引違サッシを室内側から見た正面図である。
【図３】（ａ）は室外側サッシ障子を示す図、（ｂ）は室内側サッシ障子を示す図である。
【図４】（ａ）は上框を示す図、（ｂ）下框を示す図である。
【図５】図３（ａ）のＡ部分の拡大図である。
【図６】図３（ａ）のＢ部分の拡大図である。
【図７】図３（ａ）のＣ部分の拡大図である。
【図８】図３（ａ）のＤ部分の拡大図である。
【図９】（ａ）は小開口ストッパを説明する平面図、（ｂ）は（ａ）の正面図、（ｃ）は（ａ）のＥ−Ｅ線断面図、（ｄ）は小開口ストッパ加熱発泡材および小開口ストッパ加熱発泡材支持部を説明する図である。
【図１０】（ａ）は図３（ａ）のＦ部分の拡大図、（ｂ）は図３（ａ）のＧ部分の拡大図、（ｃ）は図３（ｂ）のＨ部分の拡大図、（ｄ）は図３（ｂ）のＩ部分の拡大図である。
【図１１】（ａ）は召合せ框下部加熱発泡材支持部を説明する側面図、（ｂ）は（ａ）の上面図、（ｃ）は（ａ）の後面図、（ｄ）は（ａ）の斜視図である。
【図１２】加熱発泡材が発泡した様子を説明する図で、図５に対応する図である。
【図１３】加熱発泡材が発泡した様子を説明する図で、図６に対応する図である。
【図１４】（ａ）は図１２のＪ−Ｊ線断面図、（ｂ）は図１２のＫ−Ｋ線断面図、（ｃ）は図１３のＬ−Ｌ線断面図である。
【図１５】加熱発泡材が発泡した様子を説明する図で、図７に対応する図である。
【図１６】加熱発泡材が発泡した様子を説明する図で、図８に対応する図である。
【図１７】（ａ）は加熱発泡材が発泡した様子を説明する図で図１０（ａ）に対応する図、（ｂ）加熱発泡材が発泡した様子を説明する図で図１０（ｂ）に対応する図、（ｃ）は加熱発泡材が発泡した様子を説明する図で図１０（ｃ）に対応する図、（ｄ）は熱発泡材が発泡した様子を説明する図で図１０（ｄ）に対応する図である。
【発明を実施するための形態】
【００１２】
以下、本発明の実施形態による引違サッシについて、図１乃至図１７に基づいて説明する。
図１および図２に示すように、本実施形態による引違サッシ１は、構造物１１の開口部１２に固定されたサッシ枠（枠体）２と、サッシ枠２の内部に見付け方向にスライド可能に設置される室外側サッシ障子（サッシ障子）３Ａおよび室内側サッシ障子（サッシ障子）３Ｂと、を有している。
【００１３】
サッシ枠２は、見付け方向に延在する上枠２１および下枠２２（図２参照）と、上下方向に延在する一対の縦枠２３，２３と、を有している。
図１乃至図３に示すように、室外側サッシ障子３Ａおよび室内側サッシ障子３Ｂは、見付け方向に延在する上框４および下框５（図２参照）と、上下方向に延在する召合せ框６および縦框（戸先框）７と、これらの框４〜７の内側に配置されるガラス３１と、室外側サッシ障子３Ａおよび室内側サッシ障子３Ｂを下枠２２に沿って移動可能に支持する一対の戸車部８，８と、をそれぞれ有している。
【００１４】
図４（ａ）に示すように、上框４は、上枠２１と係合する上枠係合部４１と、ガラス３１を支持するガラス支持部４２と、上枠係合部４１とガラス支持部４２との間に配置された筒状部４３と、を有している。これらの上枠係合部４１、ガラス支持部４２および筒状部４３は、一体に形成されていて、それぞれ見付け方向に延在している。
上枠係合部４１は、上方が開放されていて、上方から上枠２１のレール２１ａが挿入可能に構成されている。筒状部４３の内部には、見付け方向に貫通する中空部４４が形成されている。なお、上枠係合部４１の内側と中空部４４とは、連通しないように構成されている。
【００１５】
図４（ｂ）に示すように、下框５は、下枠２２と係合する下枠係合部５１と、ガラス３１を支持するガラス支持部５２と、下枠係合部５１とガラス支持部５２との間に配置された筒状部５３と、を有している。これらの下枠係合部５１、ガラス支持部５２および筒状部５３は、一体に形成されていて、それぞれ見付け方向に延在している。
下枠係合部５１は、下方が開放されていて、下方から下枠２２のレール２２ａが挿入可能に構成されている。筒状部５３の内部には、見付け方向に貫通する中空部５４が形成されている。
【００１６】
このような下框５は、板面が上下方向を向きガラス３１の下側に配置された上板部５５と、上板部５５から下方に延びて板面が見込み方向を向き見込み方向に間隔をあけて配置された一対の側板部５６，５６と、板面が上下方向を向き見込み方向の両端部５７ａ，５７ａがそれぞれ一対の側板部５６，５６の高さ方向の中間部と連続するように形成された下板部５７と、を有している。
そして、一対の側板部５６，５６の内側で上板部５５および下板部５７に挟まれた空間に中空部５４が形成されていて、一対の側板部５６，５６の内側で下板部５７の下方の空間に下枠２２のレール２２ａが挿入可能に構成されている。
【００１７】
また、下框５には、見付け方向の両端部近傍に、それぞれ戸車部８が収容される戸車収容部５８，５８が形成されている。戸車収容部５８は、一対の側板部５６，５６の内側に形成されている。なお、下框５の戸車収容部５８が形成されている部分には、下板部５７が設けられておらず、下枠係合部５１の内側と中空部５４とが連通している。このため、戸車収容部５８を介して、中空部５４が下枠係合部５１の下方の空間と連通している。
そして、戸車部８は、中空部５４と下枠係合部５１の内側にわたるように配置されている。
なお、戸車収容部５８が形成されている部分以外は、下板部５７が下枠係合部５１の内側と中空部５４とを上下方向に遮断している。
【００１８】
図４（ｂ）、図５乃至図８に示すように、戸車部８は、下枠２２のレール２２ａ（図４（ｂ）参照）に沿って走行する戸車本体８１と、下框５に固定されて戸車本体８１を回転可能に支持する支持部８２と、戸車本体８１の位置を調整するための戸車調整ネジ８３（図５および図６参照）と、を有している。戸車調整ネジ８３は、下框５の見付け方向の端部側から調整されるように構成されている。
【００１９】
また、図５乃至図８に示すように、下枠係合部５１のうち、戸車収容部５８が形成されている部分およびその近傍の領域において、一対の側板部５６，５６の一方には、他方と対向する側の面に戸車収容部加熱発泡材９１が設けられている。戸車収容部加熱発泡材９１は、火災の熱によって発泡して膨張する公知のもので、シート状に形成されて、火災の熱によって面外方向に発泡するように構成されている。
そして、戸車収容部加熱発泡材９１は発泡すると、戸車収容部５８およびその近傍の領域において、戸車部８の下部側を覆うとともに下枠係合部５１の内側を塞ぎ、中空部５４と下枠係合部５１の下方の空間とを遮断するように構成されている。
【００２０】
また、本実施形態では、図６に示すように、室外側サッシ障子３Ａの下框５に、サッシ障子３Ａ，３Ｂが開口部１２を全開せずに、所定の大きさだけ開放するように規制する小開口ストッパ（規制部）５９が設けられている。
図９に示すように、小開口ストッパ５９は、中空部５４の内部（連通部）に配置されていて、回動して室内側の側板部５６に形成された開口部５６ａから室内側に突出可能な突出片５９ａと、突出片５９ａを回動可能に支持する支持部５９ｂと、を有している。
【００２１】
そして、突出片５９ａが室内側の側板部５６から室内側に突出した状態で、室外側サッシ障子３Ａおよび室内側サッシ障子３Ｂ（図１参照）の少なくとも一方を開口部を開放させる方向に移動させると、突出片５９ａと室内側サッシ障子３Ｂの召合せ框６（図１参照）とが当接して、サッシ障子３Ａ，３Ｂの開口部１２を開放させる方向の移動を止めるように構成されている。
【００２２】
また、小開口ストッパ５９の近傍には、小開口ストッパ加熱発泡材（第２加熱発泡材）９２と、小開口ストッパ加熱発泡材９２を支持する小開口ストッパ加熱発泡材支持部６０が設けられている。
小開口ストッパ加熱発泡材支持部６０は、見付け方向に延在し、室内側に開口する箱状に形成されていて、板面が上下方向を向き上下方向に間隔をあけて配置された上板部６０ａおよび下板部６０ｂと、板面が見込み方向を向き上板部６０ａおよび下板部６０ｂの室外側の端部と連結された背板部６０ｃと、板面が見付け方向を向き上板部６０ａ、下板部６０ｂおよび背板部６０ｃと連結された一対の横板部６０ｄ，６０ｄと、を有している。
小開口ストッパ加熱発泡材支持部６０の背板部６０ｃの室内側の面には、小開口ストッパ加熱発泡材９２が貼りつけられていて、上板部６０ａ、下板部６０ｂ、背板部６０ｃおよび一対の横板部６０ｄ，６０ｄの内側に小開口ストッパ５９が配置されている。
なお、本実施形態では、小開口ストッパ加熱発泡材支持部６０の上板部６０ａが下框５の上板部５５に固定具で固定されている。
【００２３】
そして、小開口ストッパ加熱発泡材９２は発泡すると、小開口ストッパ５９を覆うとともに、小開口ストッパ５９と下框５の側板部５６に形成された開口部５６ａの縁部との隙間を塞ぐように構成されている。このとき、小開口ストッパ加熱発泡材９２は、小開口ストッパ加熱発泡材支持部６０の上板部６０ａおよび下板部６０ｂによって、上板部６０ａの上部や下板部６０ｂの下部へ発泡せず、下框５の中空部５４を見付け方向に遮断しないように構成されている。また、小開口ストッパ加熱発泡材９２は、小開口ストッパ加熱発泡材支持部６０の一対の横板部６０ｄ，６０ｄによって、横板部６０ｄ，６０ｄの側方へ発泡しないように構成されている。
【００２４】
図１に戻り、召合せ框６は、ガラス３１を支持するガラス支持部６２と、ガラス支持部６２のガラス３１と離間する側に配置された筒状部６３と、を有している。これらのガラス支持部６２および筒状部６３は、一体に形成されていて、それぞれ見付け方向に延在している。筒状部６３の内部には、見付け方向に貫通する中空部６４が形成されている。
【００２５】
そして、図１０に示すように、召合せ框６の筒状部６３は、上端部が上框４の筒状部４３と連結され、下端部が下框５の筒状部５３と連結されている。そして、召合せ框６の中空部６４は、上框４の中空部６４および下框５の中空部６４と連通している。
また、図６および図７に示すように、召合せ框６の筒状部６３は、角筒状に形成されている。ここで、筒状部６３を構成する板部のうち、板面が見付け方向を向き見付け方向に間隔をあけて配置された板部を、第１板部６５および第２板部６６とし、これらのうち、ガラス支持部６２側に配置された板部を第１板部６５とし、ガラス支持部６２と離間する側に配置された板部を第２板部６６として以下説明する。
【００２６】
第１板部６５には、下端部近傍に第１戸車調整孔６５ａが形成されている。また、第２板部６６には、下端部近傍に第２戸車調整孔６６ａが形成されている。
これらの第１戸車調整孔６５ａおよび第２戸車調整孔６６ａは、戸車部８の戸車調整ネジ８３が配置されている高さに形成されている。そして、第２板部６６の外方から、第２戸車調整孔６６ａおよび第１戸車調整孔６５ａにドライバーなどを挿通させることで、外部から戸車調整ネジ８３を調整可能に構成されている。
また、下框５の中空部５４と召合せ框６の中空部６４とは、第１戸車調整孔６５ａを介して連通していて、召合せ框６の中空部６４は、第２戸車調整孔６６ａを介して外部と連通している。
【００２７】
また、召合せ框６の中空部６４の下端部近傍には、召合せ框下部加熱発泡材（第１加熱発泡材）９３と、召合せ框下部加熱発泡材９３を支持する召合せ框下部加熱発泡材支持部１０と、が設けられている。
召合せ框下部加熱発泡材支持部１０は、板面が見付け方向を向き筒状部６３の第１板部６５に当接して固定されている取付板部１１１と、板面が上下方向を向き取付板部１１１の上端部から第１板部６５と第２板部６６の中間部まで延びる第１上板部１１２と、板面が上下方向を向き第１上板部１１２の第２板部６６側の端部から第２板部６６まで延びる第２上板部１１３と、板面が見付け方向を向き第１上板部１１２の第２板部６６側の端部から下方に延びる鉛直板部（壁部）１１４と、板面が上下方向を向き鉛直板部１１４の下端部から第２板部６６まで延びる下板部１１５と、を有している。
【００２８】
図１１に示すように、取付板部１１１には、召合せ框下部加熱発泡材支持部１０を第１板部６５（図６および図７参照）に仮固定するためのビスが挿通される仮固定用ビス孔１１１ａと、召合せ框下部加熱発泡材支持部１０を第１板部６５に固定するためのビスが挿通される固定用ビス孔１１１ｂが形成されている。本実施形態では、仮固定用ビス孔１１１ａが固定用ビス孔１１１ｂの上側となるように形成されている。また、取付板部１１１は、第１板部６５の第１戸車調整孔６５ａ上側に固定されている。
第１上板部１１２には、上下方向に貫通する孔部１１２ａが形成されている。
第２上板部１１３は、見込み方向の寸法が中空部６４の見込み方向の寸法よりも小さくなるように形成されている。
【００２９】
鉛直板部１１４は、見込み方向の寸法が中空部６４の見込み方向の寸法を略同じ寸法となるように形成されていて、見込み方向の両端部が筒状部６３（図６および図７参照）と当接している。また、鉛直板部１１４には、見付け方向に貫通する固定用孔部１１４ａと戸車調整ネジ８３（図６および図７参照）を調整するドライバーが挿通可能な第３戸車調整孔１１４ｂとが形成されている。
固定用孔部１１４ａは、取付板部１１１の仮固定用ビス孔１１１ａおよび固定用ビス孔１１１ｂと見付け方向に重なる位置に形成されている。
第３戸車調整孔１１４ｂは、筒状部６３の第１戸車調整孔６５ａおよび第２戸車調整孔６５ｂ（図６および図７参照）と見込み方向に重なる位置に形成されている。
【００３０】
下板部１１５は、見込み方向の幅寸法が中空部６４（図６および図７参照）の幅寸法を略同じ寸法となるように形成されていて、見込み方向の両端部が筒状部６３（図６および図７参照）と当接している。そして、下板部１１５の上面の略全体には、召合せ框下部加熱発泡材９３が貼りつけられている。
【００３１】
そして、召合せ框下部加熱発泡材９３は、発泡すると、上側に向かって膨張し、鉛直板部１１４によって鉛直板部１１４よりも第１板部６５側にはほとんど膨張しないように構成されている。このため、発泡した召合せ框下部加熱発泡材９３は、筒状部６３の第２板部６６の第２戸車調整孔６６ａを塞ぎ、第１板部６５の第１戸車調整孔６５ａおよび第１上板部１１２の孔部１１２ａを塞がないように構成されている。これにより、下框５の中空部５４と召合せ框６の中空部６４との連通は維持され、召合せ框６と外部との第２戸車調整孔６６ａを介した連通は遮断されるように構成されている。
【００３２】
また、図１０に示すように、召合せ框６の上端部近傍には、召合せ框６の中空部６４と上框４の中空部４４とを連通させる孔部６４ａが形成されている。そして、筒状部６３の上部近傍には召合せ框上部加熱発泡材９４が配置されていて、召合せ框上部加熱発泡材９４が発泡すると孔部６４ａを塞ぎ、召合せ框６の中空部６４の内部と上框４の中空部４４との連通を遮断するように構成されている。
【００３３】
図１に戻り、縦框７は、縦枠２３と係合可能な縦枠係合部７１と、ガラス３１を支持するガラス支持部７２と、縦枠係合部７１とガラス支持部７２との間に配置された筒状部７３と、を有している。これらの縦枠係合部７１、ガラス支持部７２、筒状部７３は、一体に形成されていて、それぞれ見付け方向に延在している。
縦枠係合部７１は、縦枠２３側が開放されていて、サッシ障子３Ａ，３Ｂが開口部１２を閉鎖した状態において、縦枠２３に形成された突出片２３ａが挿入可能に構成されている。
筒状部７３の内部には、見付け方向に貫通する中空部７４が形成されている。
【００３４】
そして、図１０に示すように、縦框７の筒状部７３は、上端部が上框４の筒状部４３と連結されている。そして、縦框７の中空部７４は、上框４の中空部４４と連通している。
また、図５および図８に示すように、縦框７の筒状部７３は、下端部が下框５の筒状部５３と連結されている。そして、縦框７の中空部７４は、下框５の中空部５４と連通している。
縦框７の筒状部７３は、角筒状に形成されている。ここで、筒状部７３を構成する板部のうち、板面が見付け方向を向き見付け方向に間隔をあけて配置された板部を、第１板部７５および第２板部７６とし、これらのうち、ガラス支持部７２側に配置された板部を第１板部７５とし、縦枠係合部７１側に配置された板部を第２板部６６として以下説明する。
【００３５】
第１板部７５には、下端部近傍に第１戸車調整孔７５ａが形成されている。また、第２板部７６には、下端部近傍に第２戸車調整孔７６ａが形成されている。
これらの第１戸車調整孔７５ａおよび第２戸車調整孔７６ａは、戸車部８の戸車調整ネジ８３が配置されている高さに形成されている。そして、第２板部７６の外方から、第２戸車調整孔７６ａおよび第１戸車調整孔７５ａにドライバーなどを挿通させることで、外部から戸車調整ネジ８３を調整可能に構成されている。
また、下框５の中空部５４と縦框７の中空部７４とは、第１戸車調整孔７５ａを介して連通していて、縦框７の中空部７４は、第２戸車調整孔７６ａを介して外部と連通している。
【００３６】
また、縦框７の縦枠係合部７１の内側には、下端部近傍に縦框下部加熱発泡材（第１加熱発泡材）９５が設けられている。
縦框下部加熱発泡材９５は、発泡すると縦枠係合部７１の内側の下端部近傍を閉塞し、第２戸車調整孔７６ａと塞ぐように構成されている。これにより、下框５の中空部５４と縦框７の中空部７４との連通は維持され、縦框７と外部との第２戸車調整孔７６ａを介した連通は遮断されるように構成されている。なお、第２板部７６に第２戸車調整孔７６ａ以外の孔部が形成されている場合は、発泡した縦框下部加熱発泡材９５が第２戸車調整孔７６ａ以外の孔部を塞ぐように構成されている。
【００３７】
また、図１０に示すように、縦框７の上端部近傍には、縦框７の中空部７４と上框４の中空部４４とを連通させる孔部７４ａが形成されている。そして、筒状部７３の上部近傍には縦框上部加熱発泡材９６が配置されていて、縦框上部加熱発泡材９６が発泡すると孔部７４ａを塞ぎ、縦框７の中空部７４の内部と上框４の中空部４４との連通を遮断するように構成されている。
【００３８】
次に、上述した引違サッシの作用・効果について図面を用いて説明する。
上述した本実施形態による引違サッシでは、火災の熱によって加熱発泡材９１〜９６が発泡する。
このとき、図１２乃至図１７に示すように戸車収容部加熱発泡材９１は、戸車収容部５８と外部との連通を遮断するように発泡する。また、小開口ストッパ加熱発泡材９２は、小開口ストッパ５９を覆うとともに、小開口ストッパ５９と下框５の側板部５６に形成された開口部５６ａの縁部との隙間を塞ぐように発泡する。このとき、発泡した小開口ストッパ加熱発泡材９２は、小開口ストッパ加熱発泡材支持部６０によって下框５の中空部５４は見付け方向に遮断しないように構成されている。
【００３９】
また、図１３および図１５に示すように、召合せ框下部加熱発泡材９３は、召合せ框６の第２戸車調整孔６６ａを塞いで、召合せ框６中空部６４と外部との連通を遮断し、下框５の中空部５４と召合せ框６の中空部６４との連通は遮断しないように発泡する。
また、図１７に示すように、召合せ框上部加熱発泡材９４は、召合せ框６の中空部６４と上框４の中空部４４との連通を遮断するように発泡する。
【００４０】
また、図１２および図１６に示すように、縦框下部加熱発泡材９５は、縦框７の第２戸車調整孔７６ａを塞いで、縦框７の中空部７４と外部との連通を遮断し下框５の中空部５４と縦框７の中空部７４との連通は遮断しないように発泡する。
また、図１７に示すように、縦框上部加熱発泡材９６は、縦框７の中空部７４と上框４の中空部４４との連通を遮断するように発泡する。
これにより、火災の熱によって戸車部８の樹脂部分が溶融して発生した可燃性ガスを、召合せ框６および縦框７の第２戸車調整孔から外部へ漏らすことなく、下框５の中空部５４、召合せ框６の中空部６４および縦框７中空部７４の空間に封止することができる。
そして、発生した可燃性ガスを戸車収容部５８や下框５の中空部５４のみに封止する場合と比べて、召合せ框６の中空部６４および縦框７の中空部７４も可燃性ガスを封止する空間として利用できるため、多量の可燃性ガスが発生した場合にも確実に封止し、封止された可燃性ガスが高圧状態となることを防止できる。
【００４１】
また、召合せ框６の中空部６４には、召合せ框下部加熱発泡材９３を支持し、召合せ框下部加熱発泡材９３が発泡する範囲を規制する召合せ框下部加熱発泡材支持部１０が設けられていることにより、召合せ框下部加熱発泡材９３が発泡しても、召合せ框下部加熱発泡材支持部１０の鉛直板部１１４によって第１戸車調整孔６５ａを閉塞するのを確実に防止することができる。その結果、下框５の中空部５４および戸車収容部５８と召合せ框６の中空部６４とが連通した状態を確実に維持することができる。
【００４２】
また、小開口ストッパ加熱発泡材９２を支持する小開口ストッパ加熱発泡材支持部６０が設けられていることにより、小開口ストッパ５９の樹脂部分が溶融して可燃性ガスが発生した場合にも、発泡した小開口ストッパ加熱発泡材９２が可燃性ガスを封止することができる。
また、小開口ストッパ加熱発泡材９２が、下框５の中空部５４の見付け方向の連通状態を維持するように発泡することにより、戸車部９の樹脂部分が溶融して発生した可燃性ガスを、下框５の中空部５４を介して召合せ框６の中空部５４および縦框７の中空部７４に封止することができる。このため、戸車部８の樹脂部分が溶融して発生した可燃性ガスを確実に封止し、封止された可燃性ガスが高圧状態となることを防止できる。
【００４３】
以上、本発明による引違サッシの実施形態について説明したが、本発明は上記の実施形態に限定されるものではなく、その趣旨を逸脱しない範囲で適宜変更可能である。
例えば、上記の実施形態では、火災が発生した際に、下框５の中空部５４を召合せ框６の中空部５４および縦框７の中空部７４と連通させて、戸車部８の樹脂部分が溶融して発生した可燃性ガスを下框５の中空部５４、召合せ框６の中空部５４および縦框７の中空部７４に封止しているが、下框５の中空部５４と召合せ框６の中空部５４および縦框７の中空部７４のいずれか一方を連通させて、戸車部８の樹脂部分が溶融して発生した可燃性ガスを下框５の中空部５４と召合せ框６の中空部５４および縦框７の中空部７４のいずれか一方に封止するように構成されていてもよい。
【００４４】
また、火災が発生した際に、召合せ框６の中空部５４および縦框７の中空部７４を上框４の中空部４４と連通させて、上框４の中空部４４にも可燃性ガスを封止する様に構成されていてもよい。
また、上記の実施形態では、引違サッシ１には、小開口ストッパ５９が設けられているが、設けられていなくてもよい。また、引違サッシ１には、小開口ストッパ５９以外のサッシ障子３Ａ，３Ｂの開閉動作を規制する規制部が設けられていてもよい。
【符号の説明】
【００４５】
１  引違サッシ
２  サッシ枠（枠体）
３Ａ  室外側サッシ障子（サッシ障子）
３Ｂ  室内側サッシ障子（サッシ障子）
４  上框
５  下框
６  召合せ框
７  縦框
８  戸車部（戸車）
１０  召合せ框下部加熱発泡材支持部
１１  構造物
１２  開口部
５４  中空部（連通部）
５９  小開口ストッパ（規制部）
６４  中空部
６６ａ  第２戸車調整孔（戸車調整孔）
７４  中空部
７６ａ  第２戸車調整孔（戸車調整孔）
９２  小開口ストッパ加熱発泡材（第２加熱発泡材）
９３  召合せ框下部加熱発泡材（第１加熱発泡材）
９５  縦框下部加熱発泡材（第１加熱発泡材）
１１４  鉛直板部（壁部）
【図１】
0006322084.tif 000002
【図２】
0006322084.tif 000003
【図３】
0006322084.tif 000004
【図４】
0006322084.tif 000005
【図５】
0006322084.tif 000006
【図６】
0006322084.tif 000007
【図７】
0006322084.tif 000008
【図８】
0006322084.tif 000009
【図９】
0006322084.tif 000010
【図１０】
0006322084.tif 000011
【図１１】
0006322084.tif 000012
【図１２】
0006322084.tif 000013
【図１３】
0006322084.tif 000014
【図１４】
0006322084.tif 000015
【図１５】
0006322084.tif 000016
【図１６】
0006322084.tif 000017
【図１７】
0006322084.tif 000018